(57)【要約】【課題】カメラ付き携帯無線端末によるカメラ撮影を表示部への警告メッセージの表示により禁止する。【解決手段】カメラ撮影を禁止する領域に設置した簡易基地局から、撮影が禁止されている場所であることを警告する表示情報を含む撮影禁止情報信号を送信し、当該領域内のカメラ付き携帯無線端末では表示部に前記撮影禁止情報信号に含まれる表示情報が表示される。簡易基地局に登録する文字情報を適宜変更することにより、携帯無線端末の表示内容は変更可能である。簡易基地局に撮影の強制終了フラグを登録することにより、カメラ撮影の機能をも停止させることが可能である。【選択図】    図４
2005142845.tif 000002
【特許請求の範囲】
【請求項１】
所定の送信電力で撮影禁止情報信号を無線送信する簡易基地局と、前記撮影禁止情報信号により指定された動作が制御されるカメラ付き携帯無線端末とからなるカメラ付き携帯無線端末のカメラ撮影制限システムであって、
前記撮影禁止情報信号には、少なくとも撮影の禁止を警告する表示情報を含み、前記カメラ付き携帯無線端末は、前記撮影禁止情報信号の受信時に前記撮影禁止情報信号に含まれる前記表示情報を表示する表示部を備えることを特徴とするカメラ付き携帯無線端末のカメラ撮影制限システム。
【請求項２】
前記撮影禁止情報信号には画像情報を含み、前記カメラ付き携帯無線端末は、前記撮影禁止情報信号の受信時に前記表示部により前記撮影禁止情報信号に含まれる前記画像情報を表示することを特徴とする請求項１記載のカメラ付き携帯無線端末のカメラ撮影制限システム。
【請求項３】
前記撮影禁止情報信号には識別コードを含み、前記カメラ付き携帯無線端末は、前記撮影禁止情報信号の受信時に前記撮影禁止情報信号に含まれる前記識別コードと、当該カメラ付き携帯無線端末内に予め設定された識別コードとが一致した場合にのみ、前記表示を行うことを特徴とする請求項１又は２記載のカメラ付き携帯無線端末のカメラ撮影制限システム。
【請求項４】
前記撮影禁止情報信号には撮影禁止制御情報を含み、前記カメラ付き携帯無線端末は、前記撮影禁止情報信号の受信時に前記撮影禁止情報信号に含まれる前記撮影禁止制御情報により撮影機能を停止することを特徴とする請求項１、２又は３記載のカメラ付き携帯無線端末のカメラ撮影制限システム。
【請求項５】
前記撮影禁止情報信号には識別コードを含み、前記カメラ付き携帯無線端末は、前記撮影禁止情報信号の受信時に前記撮影禁止情報信号に含まれる前記識別コードと、当該カメラ付き携帯無線端末内に予め設定された識別コードとが一致した場合にのみ、前記撮影機能を停止することを特徴とする請求項４記載のカメラ付き携帯無線端末のカメラ撮影制限システム。
【請求項６】
サーバー装置を備え、前記サーバー装置は前記簡易基地局が無線送信する撮影禁止情報信号に含める情報を設定可能であることを特徴とする請求項１ないし５の何れかの請求項記載のカメラ付き携帯無線端末のカメラ撮影制限システム。
【請求項７】
簡易基地局から無線送信される所定の送信電力の撮影禁止情報信号の受信により指定された動作が制御されるカメラ付き携帯無線端末であって、
前記撮影禁止情報信号には少なくとも撮影の禁止を警告する表示情報を含み、前記撮影禁止情報信号の受信時に前記撮影禁止情報信号に含まれる前記表示情報を表示する表示部を備えることを特徴とするカメラ付き携帯無線端末。
【請求項８】
前記撮影禁止情報信号には撮影の禁止を警告する画像情報を含み、前記表示部は、前記撮影禁止情報信号の受信時に該撮影禁止情報信号に含まれる前記画像情報を表示することを特徴とする請求項７記載のカメラ付き携帯無線端末。
【請求項９】
前記撮影禁止情報信号には識別コードを含み、前記撮影禁止情報信号の受信時に前記撮影禁止情報信号に含まれる前記識別コードと、本体内に予め記憶された識別コードとが一致した場合にのみ前記表示を行うことを特徴とする請求項７又は８記載のカメラ付き携帯無線端末。
【請求項１０】
前記撮影禁止情報信号には撮影禁止制御情報を含み、前記撮影禁止情報信号の受信時に前記撮影禁止情報信号に含まれる前記撮影禁止制御情報により撮影機能を停止することを特徴とする請求項７、８又は９記載のカメラ付き携帯無線端末。
【請求項１１】
前記撮影禁止情報信号には識別コードを含み、前記撮影禁止情報信号の受信時に、前記撮影禁止情報信号に含まれる前記識別コードと、本体内に予め設定された識別コードとが一致した場合にのみ、前記撮影機能を停止することを特徴とする請求項１０記載のカメラ付き携帯無線端末。
【発明の詳細な説明】
【技術分野】
【０００１】
本発明は、カメラ付き携帯無線端末に関し、特に、カメラ撮影の機能制限に関する携帯無線端末のカメラ撮影制限システム及び携帯無線端末に関する。
【背景技術】
【０００２】
カメラ付き携帯電話機の普及により、携帯電話機に付属のカメラにて撮影をする機会が多くなってきたが、その一方でカメラ付き携帯電話機が手軽に撮影できることから美術館や書店、コンサート開場などでの撮影により、著作物等に関する著作権上等の問題や、フラッシュ撮影等による演奏への影響に関する問題等も多くなってきている。
【０００３】
以上のような問題はカメラ単体の場合には、撮影の目的でしか使用されないので開場への持ち込みを規制するなどの対応を行うことにより解決できるが、カメラ付き携帯電話機の場合はカメラと携帯電話機の両方の機能を有する為、持ち込みに代える規制方法等の工夫を要する。
【０００４】
携帯電話機の撮影機能の動作を規制する方法としては、撮影が禁止されている場所や撮影を控えるべき場所において、撮影機能の使用を制限するようなシステム構成を採用することが知られている（特許文献１、２参照）。例えば、カメラ付き携帯電話機の機能を制御する制御システムとして、特許文献１には制御信号を送信する無線装置を備え、カメラ付き携帯電話機が前記無線装置からの制御信号を受信した場合に、映像情報の生成・出力動作、送信動作、あるいは蓄積動作といった映像取得動作の実行を規制するものが記載されてり、また、特許文献２にはフラッシュ撮影を規制するものが記載されている。更には、撮影が禁止されている場所では、カメラ付き携帯電話機の電源をオフに制御する制御システムも考えられる。
【０００５】
【特許文献１】特開平１１−２６１６７４号公報
【特許文献２】特開２０００−１５２２１７号公報
【発明の開示】
【発明が解決しようとする課題】
【０００６】
以上のように、携帯電話機の使用が禁止されている場所においては、強制的に携帯電話機の映像取得動作、フラッシュ撮影動作を規制したり、更には、携帯電話機の電源をオフにすることが考えられる。
【０００７】
しかし、撮影を禁止する物（作品等）と許可する物とが混在するような公共の場などでは、カメラの撮影を強制的に禁止することは望ましくないことが多いものであり、特に、通話機能は禁止しないが、カメラ撮影だけは禁止したい場所などでは、携帯電話機の電源を強制的にオフにするシステムでは通話機能に支障が起きてしまうので、これを導入することは困難である。
【０００８】
（目的）
本発明の目的は、以上の課題を解決するものであり、携帯無線端末のカメラ撮影を警告メッセージにより禁止することができる携帯無線端末のカメラ撮影制限システム及び携帯無線端末を提供することにある。
【０００９】
本発明の他の目的は、携帯無線端末のカメラ撮影の禁止を警告する警告メッセージを適宜変更できる携帯無線端末のカメラ撮影制限システム及び携帯無線端末を提供することにある。
【００１０】
本発明の他の目的は、特定の携帯無線端末にのみカメラ撮影を禁止する警告メッセージを表示することが可能な携帯無線端末のカメラ撮影制限システム及び携帯無線端末を提供することにある。
【課題を解決するための手段】
【００１１】
カメラでの撮影が望ましくない場所では、利用者に対して警告文を表示すると共に、カメラの撮影を禁止する機能を搭載する事を特徴とする。
【００１２】
図１に示すように、カメラ撮影が望ましくない建物（１０１）に入出する場合、その中に簡易基地局（１０２）を設置し、簡易基地局よりカメラ撮影に関する警告信号を発信させる。それを受け取った携帯無線端末は、表示部から利用者に警告を行う。また、必要によりカメラ撮影を強制的に禁止させる。
【００１３】
本発明のカメラ付き携帯無線端末のカメラ撮影制限システムは、所定の送信電力で撮影禁止情報信号を無線送信する簡易基地局（例えば図１の１０２）と、前記撮影禁止情報信号により指定された動作が制御されるカメラ付き携帯無線端末（例えば図１の１０３）とからなるカメラ付き携帯無線端末のカメラ撮影制限システムであって、前記撮影禁止情報信号には、少なくとも撮影の禁止を警告する表示情報を含み、前記カメラ付き携帯無線端末は、前記撮影禁止情報信号の受信時に前記撮影禁止情報信号に含まれる前記表示情報を表示する表示部（例えば図３の３０８、３０９）を備えることを特徴とする。また、前記撮影禁止情報信号には画像情報を含み、前記カメラ付き携帯無線端末は、前記撮影禁止情報信号の受信時に前記表示部により前記撮影禁止情報信号に含まれる前記画像情報を表示することを特徴とする。更に、前記撮影禁止情報信号には撮影禁止制御情報を含み、前記カメラ付き携帯無線端末は、前記撮影禁止情報信号の受信時に前記撮影禁止情報信号に含まれる前記撮影禁止制御情報により撮影機能を停止することを特徴とする。更に、前記撮影禁止情報信号には識別コードを含み、前記カメラ付き携帯無線端末は、前記撮影禁止情報信号の受信時に前記撮影禁止情報信号に含まれる前記識別コードと、当該カメラ付き携帯無線端末内に予め設定された識別コードとが一致した場合にのみ、前記表示又は撮影機能の停止を行うことを特徴とする。更にサーバー装置を備え、前記サーバー装置は前記簡易基地局が無線送信する撮影禁止情報信号に含める情報を設定可能であることを特徴とする。
【００１４】
より具体的には、本発明のカメラ付き携帯無線端末のカメラ撮影制限システムは、カメラ撮影を禁止する領域に設置した簡易基地局から、撮影が禁止されている場所であることを警告する警告メッセージ等を含む撮影禁止情報信号を送信し、当該領域内のカメラ付き携帯無線端末では表示部に前記撮影禁止情報信号に含まれる警告メッセージ等が表示される。簡易基地局に登録する警告メッセージ等を適宜変更することにより、携帯無線端末の表示内容を変更可能とする。簡易基地局に撮影の強制終了フラグを登録することにより、カメラ撮影の機能をも停止させることを可能とする。
【００１５】
本発明のカメラ付き携帯無線端末は、簡易基地局から無線送信される所定の送信電力の撮影禁止情報信号の受信により指定された動作が制御されるカメラ付き携帯無線端末であって、前記撮影禁止情報信号には少なくとも撮影の禁止を警告する表示情報を含み、前記撮影禁止情報信号の受信時に前記撮影禁止情報信号に含まれる前記表示情報を表示する表示部を備えることを特徴とする。また、前記撮影禁止情報信号には撮影の禁止を警告する画像情報を含み、前記表示部は、前記撮影禁止情報信号の受信時に該撮影禁止情報信号に含まれる前記画像情報を表示することを特徴とする。更に、前記撮影禁止情報信号には撮影禁止制御情報を含み、前記撮影禁止情報信号の受信時に前記撮影禁止情報信号に含まれる前記撮影禁止制御情報により撮影機能を停止することを特徴とする。
【発明の効果】
【００１６】
本発明によれば、簡易基地局から撮影の禁止を警告する表示情報や画像情報を送信することにより、カメラ撮影が望ましくない場所に居ることを携帯無線端末の利用者に警告メッセージ等の表示情報により知らせ、カメラ撮影の自粛を促すことにより、携帯無線端末の電源をオフにしたり撮影機能を一律に停止させる弊害を防止すること可能とする。例えば、通話機能等を停止させるような禁止措置をとらないので、通話機能等に支障を生じることを防止することが可能である。
【００１７】
本発明によれば、簡易基地局の電波が受信される領域に立ち入った場合に、携帯無線端末に直ちに警告メッセージ等の表示が成されるので、当該領域でのカメラ撮影に対する高い警告効果が得られる。
【００１８】
また、近距離通信機能を有する簡易基地局を選択的に設置することにより、撮影を禁止する物（作品）と許可する物が混在する公共の場などでのカメラ撮影の禁止警告に好適である。
【００１９】
更に、簡易基地局又はサーバー装置の操作部から警告メッセージ等を変更可能に構成することにより、撮影禁止領域の規制レベルに応じた警告メッセージ、更には撮影機能を停止させる禁止制御の設定を適宜可能であり、強制的な電源オフ等の従来の方法に比べ携帯無線端末の使用者の理解を得やすいシステムが実現できる。
【００２０】
また、識別コードを使用することにより、撮影禁止情報による制御対象とする携帯無線端末を特定することが可能である。
【発明を実施するための最良の形態】
【００２１】
本発明の携帯無線端末のカメラ撮影制限システム及び携帯無線端末の第１の実施の形態について、以下詳細に説明する。  
図１は、本発明の第１の実施の形態のカメラ撮影制限システムの全体概略を示す図である。
【００２２】
本実施の形態のカメラ撮影制限システムは、書店、病院、飛行機等、カメラ撮影が望ましくない建物１０１内に配置された簡易基地局１０２と、カメラ撮影機能を有するカメラ付き携帯無線端末（携帯無線端末）１０３とから構成され、簡易基地局１０２は撮影禁止情報を含む撮影禁止情報信号を近距離の所定の領域に無線送信する機能を有し、当該所定の領域に属する携帯無線端末に対し、前記撮影禁止情報により警告メッセージ等の表示又は撮影機能の動作停止等の規制を行う制御機能を有する。
【００２３】
図２は、第１の実施の形態の簡易基地局の構成を示すブロック図である。簡易基地局１０２は、アンテナ２０１と、短・近距離の無線通信を行うための無線通信部２０２と、簡易基地局の処理機能の設定及び撮影禁止情報の入力用の操作部２０５と、撮影禁止情報を記憶する記憶部２０４と、操作部２０５からの情報を記憶部２０４に書き込んだり、記憶部２０４から必要な撮影禁止情報を読み出し、撮影の禁止に関する表示情報又は撮影機能の動作制限のための制御情報からなる撮影禁止情報信号を生成して無線通信部２０２に出力する制御部２０３と、で構成される。
【００２４】
より詳細には操作部２０５は、簡易基地局１０２による携帯無線端末１０３の撮影に関する警告メッセージ等の表示情報のみを設定したり、必要により携帯無線端末１０３の撮影機能の停止を制御する制御情報をも設定する入力手段である。
【００２５】
記憶部２０４は操作部２０５から入力された内容を設定、記憶する機能を有し、例えば設定データを記録するレジスタにより構成できる。本実施の形態では、撮影禁止情報として表示情報のみ、制御情報のみ又は表示情報と制御情報の組合せの何れかでなり、表示情報としては、警告メッセージ等の文字情報を記憶し、制御情報としては撮影機能を強制終了させるフラグである強制終了フラグ等の禁止制御情報が記憶される。
【００２６】
制御部２０３は、記憶部１２から前記設定内容を読み出し、表示情報、制御情報を所定の信号形式（フォーマット）に組み立て無線通信部２０２に出力する。無線通信部２０２は、前記信号により変調した無線周波信号を撮影禁止情報信号としてアンテナ２０１を介して送信し、当該電波の受信可能な範囲の携帯無線端末１０３の無線受信部に無線送信（同報通知）する。無線通信部２０２は、例えば通信距離が１０ｍ程度までの送信能力を有し、ある既定の周期毎に、ある既定の送信電力で、継続的に携帯無線端末１０３に撮影禁止情報信号を送信することにより、当該領域内の携帯無線端末１０３に撮影禁止情報信号を同報通知する。無線通信部のより具体的な手段としては、小電力無線通信技術であるブルーツゥース（Blue tooth）やＵＷＢ(ultra wideband)や無線ＬＡＮなどが利用できる。
【００２７】
図３は、第１の実施の形態の携帯無線端末の構成を示すブロック図である。携帯無線端末１０３は、カメラ部３０７と、ＬＣＤ部（液晶表示装置）３０９とを備えるとともに、簡易基地局１０２からの無線信号を受信するアンテナ３０１と、無線信号を受信し復調して受信信号を生成する制御を行う無線制御部３０２と、受信信号から撮影禁止情報を検出する撮影禁止情報検出部３０３と、前記撮影禁止情報から表示情報を判定して出力する表示情報判定部３０４と、前記表示情報を表示するため前記ＬＣＤ部３０９を制御するＬＣＤ制御部３０８と、撮影禁止情報から禁止制御情報を判定して出力する禁止制御情報判定部３０５と、前記禁止制御情報に基づいて前記カメラ部３０７の撮影機能等をオン／オフ制御するカメラ制御部３０６と、を備える。
【００２８】
このためＬＣＤ制御部３０８は、撮像データの表示制御に加え、受信した表示情報の表示制御及び画像情報のスーパーインポーズ（合成）機能等、表示処理の機能を有する。また、カメラ部３０７は、図示しない携帯無線端末１０３の操作部等からのカメラ操作により撮像素子から撮像データを出力する機能を有し、光学的レンズ機能であるフォーカス、ズーム、シャッター等のカメラモジュールの各種の撮影機能を有し、カメラ制御部３０６は少なくとも何れか１つの撮影機能を停止する等の機能を有する。また、携帯無線端末は、発着呼時のフック操作、ダイヤル入力、通信制御の各機能を有し、無線制御部３０２は移動通信の回線接続制御、簡易基地局１０２の無線通信部２０２と通信を行って撮影禁止情報信号を受信する機能を有する。
【００２９】
以上の構成、機能により携帯無線端末１０３は、無線制御部３０２の受信モードにおいて、携帯無線端末１０３の近傍に存在する簡易基地局１０２の無線制御部２０２から通知される撮影禁止情報信号の有無を監視し、無線制御部３０２で撮影禁止情報信号が受信されれば、表示情報判定部３０４で撮影禁止情報信号の内容を解読し、表示情報として例えば警告メッセージが含まれれば、当該警告メッセージをＬＣＤ制御部３０８に出力し、ＬＣＤ制御部３０８はＬＣＤ部３０９に警告メッセージを表示し、ユーザーに対する警告表示を行う。
【００３０】
また、禁止制御情報判定部３０５は撮影禁止情報信号の内容を解読し、禁止制御情報として例えば強制終了フラグが含まれれば、当該強制終了フラグをカメラ制御部３０６に出力し、カメラ制御部３０６はカメラ部の撮影機能の動作を終了させる等、機能制限を行う。例えば、カメラ撮影の撮影機能を停止させることによりカメラ撮影を不可能とする。また、同報通知が存在しなければ、撮影禁止情報信号が受信されないので、カメラ制御部３０６は前記各撮影機能部の動作を禁止する動作制限の制御を行わず、図示しないカメラ操作による指示どおりの撮影機能を実行制御する。
【００３１】
なお、携帯無線端末１０３は、無線制御部３０２により同報通知の監視を常時継続し、撮影禁止情報信号の同報通知の受信されている状態から受信されなくなると、ＬＣＤ制御部３０８によるＬＣＤ部３０９の前記警告表示や、カメラ制御部３０６による撮影機能の動作制限状態を解除する。
【００３２】
（動作の説明）
図４は、本実施の形態の表示情報判定部３０３及び禁止制御情報判定部３０５の動作のフローチャートを示す図である。
【００３３】
本実施の形態のカメラ付き携帯無線端末１０３は、簡易基地局１０２が発信する無線信号の到達範囲外であれば、ユーザーの設定によりカメラ部３０７による撮影機能を使用することが可能であり、撮影機能に特段の制約を伴うことがない。
【００３４】
一方、ユーザーが携帯無線端末１０３を所持して簡易基地局１０２が発信する無線信号の到達範囲内に入ったり、簡易基地局１０２を設置した建築物内に入ると、携帯無線端末１０３の無線制御部３０２は所定間隔で無線信号を検知する。ここで、無線信号に撮影禁止情報が含まれると、当該撮影禁止情報により、ＬＣＤ部３０９の表示によりカメラ部の機能に関し警告が表示される。また、カメラ部３０７の撮影機能が強制的に禁止状態となる。
【００３５】
すなわち、図４において、携帯無線端末１０３は、無線制御部３０２が所定周期で簡易基地局１０２からの撮影禁止情報信号の電波を受信する（ｓ４０１）。表示情報判定部３０３は表示情報があるか否かを判定し（ｓ４０２）、表示情報として、テキスト（ＴＥＸＴ）等で、例えば、”この場所ではカメラ撮影が禁止されております”等文字情報の存在を判定すると、これを抽出し（ｓ４０３）、ＬＣＤ制御部３０８は当該文字情報をＬＣＤ部３０９に表示する制御を行う（ｓ４０４）。これによりユーザーに対し、カメラ撮影を控えるよう警告する。
【００３６】
次に、禁止制御情報判定部３０４は強制終了フラグがあるか否かを判定し（ｓ４０５）、強制終了フラグの存在を判定し、当該強制終了フラグを抽出すると（ｓ４０７）、カメラ制御部３０６はカメラ部３０７の撮影機能を強制的に終了し（ｓ４０７）。これによりユーザーがカメラ撮影の操作を行っても撮影動作が行われない。
【００３７】
以上の動作のステップｓ４０２で表示情報が存在しない場合は、直接強制終了フラグの有無の判断処理ステップｓ４０５に移行し、また、ステップｓ４０５で強制終了フラグが存在しない場合にはカメラ撮影が可能な状態を維持する。
【００３８】
（第２の実施の形態）
図５は、本発明の撮影禁止の表示を文字情報に加え、画像情報をも表示するように構成した第２の実施の形態を示す図である。簡易基地局１０２の記憶部５０４の表示情報として、撮影禁止を表すイメージ等の画像情報を設定する。制御部５０３は文字情報に加え画像情報をも撮影禁止情報信号に含めることにより、当該領域での携帯無線端末１０３には画像を含む撮影禁止表示が行われる。
【００３９】
図６は、第２の実施の形態の動作のフローチャートを示す図である。携帯無線端末１０３は、無線制御部３０２が所定周期で簡易基地局１０２からの撮影禁止情報信号の電波を受信する（ｓ４０１）。表示情報判定部３０３は表示情報及び画像情報があるか否かを判定し（ｓ４０２）、撮影禁止の警告文がテキスト（ＴＥＸＴ）文書等で存在し、警告イメージの画像データ等が存在すると、それぞれの文字情報及び画像情報を抽出し（ｓ４０３、ｓ４０８）、ＬＣＤ部３０９に表示し（ｓ４０４、ｓ４０９）、ユーザーに対する自主的なカメラ撮影の自粛を促す。
【００４０】
次に、禁止制御情報判定部３０４は強制終了フラグがあるか否かを判定し（ｓ４０５）、強制終了フラグが存在すると当該強制終了フラグを抽出し（ｓ４０７）、カメラ制御部３０６はカメラ部３０７の撮影機能を強制的に終了し（ｓ４０７）。カメラ撮影を禁止する（ｓ４０７）。
【００４１】
以上の動作のステップｓ４０２で表示情報等が存在しない場合は、直接強制終了フラグの有無の判断処理ステップｓ４０５に移行し、また、ステップｓ４０５で強制終了フラグが存在しない場合にはカメラ撮影が可能な状態を維持する。
【００４２】
（第３の実施の形態）
以上の実施の形態では、簡易基地局１０２が送信する撮影禁止情報信号は記憶部２０４に記憶した撮影禁止情報に基づき作成されるものであり、当該撮影禁止情報は操作部２０５から書き込みを可能としているが、このような撮影禁止情報は、店内等の撮影禁止領域等に設けたサーバー装置から書き込みを可能に構成すると利便性を高めることができる。
【００４３】
図７は、かかるシステム構成を採用した第３の実施の形態の全体概略を示す図である。サーバー装置１０４を備え、簡易基地局１０２はサーバー装置１０４と無線（又は有線伝送路）を介して接続され、サーバー装置１０４から撮影禁止情報又は禁止制御情報を簡易基地局１０２の記憶部２０６に書き込むことにより、表示情報（文字情報）及び画像情報を設定可能とする。
【００４４】
図８はサーバー装置の構成を示す図である。サーバー装置１０４は、キーボード等のサーバー操作部６０５と、文字（画像データ）等の表示情報、その他の各種の情報を記憶するサーバー記憶部６０４と、アンテナ６０１と接続された無線通信部６０２と、サーバー記憶部６０４に対し各種のデータの書き込み及び読み出しを行い、所定信号形式の送信信号を生成し、無線通信部６０２に出力する制御部６０３と、から構成される。
【００４５】
サーバー装置１０４は、簡易基地局１０２と無線接続されており、サーバー記憶部６０４に記憶した撮影禁止情報を、サーバー制御部６０３で所定形式の信号に変換し無線通信部６０２を介して簡易基地局１０２に当該信号を送信し、簡易基地局１０２の記憶部の撮影禁止情報を設定する。以上により簡易基地局１０２が送信する撮影禁止情報の内容をサーバー装置６０３から適宜変更することが可能となる。
【００４６】
（第４の実施の形態）
以上の実施の形態では、簡易基地局１０２によりカバーされる領域では、本システムの機能を有する全ての携帯無線端末１０３は撮影禁止の文字情報等が表示され又は撮影機能が停止することになるが、携帯無線端末に一律にかかる機能を与える代わりに選択された携帯無線端末がこのような機能を有するように構成することができる。
【００４７】
図９は第４の実施の形態の簡易基地局の構成を示す図であり、図１０は携帯無線端末の構成を示す図である。  
本実施の形態の簡易基地局１０２は、記憶部７０４に撮影禁止の警告表示及び撮影禁止の制御を行う携帯無線端末１０３を特定する識別コード（ＣＯＤＥｎ）をも記憶し、携帯無線端末１０３には、本体内に前記識別コード（ＣＯＤＥｎ）に対応する識別コード（ＣＯＤＥｍ）を記憶するコード記憶部８０２と、両者の識別コードの一致／不一致を比較するコード判定部８０１と、を備える。
【００４８】
簡易基地局１０２は、撮影禁止情報信号に識別コードを含めて無線送信する。携帯無線端末１０３はコード判定部８０１において無線制御部３０２の出力から撮影禁止情報信号に含まれる識別コードを判定して抽出し、コード記憶部８０２に格納されている識別コードと比較し、一致する場合に撮影禁止情報検出部３０３以降の処理を行うように構成される。
【００４９】
このため、携帯無線端末１０３は簡易基地局１０２からの電波をアンテナ３０１にて受信し、無線制御部３０２にて復調し、コード判定部８０１に入力する。コード判定部８０１は、コード記憶部８０２より当該端末に登録されている識別コードを読み出し、復調された受信信号内に識別コードが存在するか判定を行う。
【００５０】
識別コードが存在する場合は、撮影禁止情報検出部３０３で撮影禁止情報を検出し、表示情報判定部３０４は、受信した信号内に警告メッセージが存在する場合、警告メッセージを取り出し、ＬＣＤ制御部３０８に転送する。また、禁止制御情報判定部３０５は、強制終了フラグが存在する場合、カメラ制御部３０６に対して撮影処理の強制終了を指示する。ＬＣＤ制御部３０８は、受け取った警告メッセージをＬＣＤ部３０９に表示し、カメラ制御部３０６は、強制終了の指示を受け取ると撮影機能を停止させる。
【００５１】
図１１は、第４の実施の形態の動作のフローチャートを示す図である。簡易基地局１０２から受信した識別コードを“ＣＯＲＤｎ”として携帯無線端末の記憶部に記憶する（ｓ４０１）。端末に登録されている識別コードを読み出し“ＣＯＲＤｍ”として記憶する（ｓ４０２）。“ＣＯＲＤｎ”と“ＣＯＲＤｍ”を比較し（ｓ４０３）、両者が一致する場合はステップｓ４０４以降の処理を行い、一致しない場合はステップｓ４０８の処理を行い撮影を継続する。
【００５２】
“ＣＯＲＤｎ”と“ＣＯＲＤｍ”が一致する場合は、受信した信号の中に、ＬＣＤ部３０９に表示する文字情報が含まれているか否かを判定し、含まれている場合は文字情報を抽出してＬＣＤ部３０９に表示し（ｓ４０５、ｓ４０６）、含まれていない場合は強制終了フラグが含まれているか否かを判断し（ｓ４０７）、含まれている場合はカメラの撮影処理を強制的に終了させ（ｓ４０９）、含まれていない場合はカメラの撮影処理を継続する（ｓ４０８）。
【００５３】
本実施の形態では、撮影禁止の警告表示及び撮影の強制終了等の禁止の対象とする携帯無線端末を、当該携帯無線端末に記憶した識別コードにより特定するように構成することが可能である。
【図面の簡単な説明】
【００５４】
【図１】本発明の第１の実施の形態のカメラ撮影制限システムの全体概略を示す図である。
【図２】第１の実施の形態の簡易基地局の構成を示すブロック図である。
【図３】第１の実施の形態の携帯無線端末の構成を示すブロック図である。
【図４】第１の実施の形態の動作のフローチャートを示す図である。
【図５】本発明の第２の実施の形態の簡易基地局の構成を示す図である。
【図６】第２の実施の形態の動作のフローチャートを示す図である。
【図７】本発明の第３の実施の形態の全体概略を示す図である。
【図８】第３の実施の形態のサーバー装置の構成を示す図である。
【図９】第４の実施の形態の簡易基地局の構成を示す図であり、
【図１０】第４の実施の形態の携帯無線端末の構成を示す図である。
【図１１】第４の実施の形態の動作のフローチャートを示す図である。
【符号の説明】
【００５５】
１０１  建築物等
１０２  簡易基地局
１０３  カメラ付き携帯無線端末
１０４  サーバー装置
【図１】
2005142845.tif 000003
【図２】
2005142845.tif 000004
【図３】
2005142845.tif 000005
【図４】
2005142845.tif 000006
【図５】
2005142845.tif 000007
【図６】
2005142845.tif 000008
【図７】
2005142845.tif 000009
【図８】
2005142845.tif 000010
【図９】
2005142845.tif 000011
【図１０】
2005142845.tif 000012
【図１１】
2005142845.tif 000013